(57)【要約】【課題】配管接続作業が容易にでき、かつ、接続した前記配管を整然と収納して、容易なメンテナンス作業をも可能とした空気調和装置の据付装置を提供することにある。【解決手段】空気調和装置の据付装置３を上部取付部材５と、下部取付部材７とに分離し、前記空気調和装置の据付装置の隅部付近へ、上方へ開放させたＬの字状の掛止部を設けて、第１配管支持部１８ａ、１８ｂ、および、第２配管支持部１９とし、この掛止部へ、この空気調和装置の据付装置３へ取り付ける室内ユニット本体１と接続する冷媒や温水の配管を簡易的に掛止固定することにより、配管が安定し、配管接続作業が容易に行なえる様になるとともに、前記配管を整然とこの空気調和装置の据付装置３内に収納することができるため、その後のメンテナンス作業も容易に行うことが可能となる。【選択図】　　　図３
2004061057.tif 000002
【特許請求の範囲】
【請求項１】
壁面に固定される取付部材を用いて室内ユニット本体を前記壁面に固定する空気調和装置の据付装置において、
前記取付部材へ、室外ユニットから延び、前記室内ユニット本体へ接続される配管の支持部を設けたことを特徴とする空気調和装置の据付装置。
【請求項２】
前記支持部を、上方へ向けたＬの字状の突起とし、この突起へ前記配管を掛合させて支持させたことを特徴とする請求項１に記載の空気調和装置の据付装置。
【請求項３】
前記支持部を設ける位置を、前記取付部材内の隅部に近い位置としたことを特徴とする請求項１または２に記載の空気調和装置の据付装置。
【請求項４】
前記支持部を、前記取付部材の内側へ並列に複数設けたことを特徴とする請求項１乃至３のいずれかに記載の空気調和装置の据付装置。
【請求項５】
前記取付部材を上部取付部材と下部取付部材とに分離し、上部取付部材に前記空気調和装置本体を支持した後、前記上部取付部材に前記下部取付部材を連結可能にしたことを特徴とする請求項１乃至４のいずれかに記載の空気調和装置の据付装置。
【請求項６】
前記取付部材を上部取付部材と下部取付部材とに分離し、上部取付部材に前記空気調和装置本体を支持した後、前記上部取付部材に前記下部取付部材を板ばね手段により連結可能にしたことを特徴とする請求項１乃至４のいずれかに記載の空気調和装置の据付装置。
【発明の詳細な説明】
【０００１】
【発明の属する技術分野】
本発明は、空気調和装置を壁面に取り付ける際の据付装置に関する。
【０００２】
【従来の技術】
これまでの空気調和装置では、マンションなどの建築物の構造上、梁などの出っ張りがあるものの上方に室内ユニット本体を取り付ける場合には、室内ユニット本体の吹出し口から吹き出された空気が遮られない様にするため、壁面に一定の高さを有する取付部材を固定し、そこに室内ユニット本体を取り付けるのが通常である。
【０００３】
そして、この取付部材は、例えば、特開平９−１５２０９３号公報で知られる様に、上部取付部材と、下部取付部材とに２分割されており、前記取付部材内側の隅部に当たる壁面の位置に配管口を開口させ、前記上部取付部材を前記壁面に取り付けた後、前記室内ユニット本体の上部をこの取付部材に固定し、室外ユニットで圧縮した冷媒を前記室内ユニットへ循環させるユニット間配管の一端を前記室外ユニットへ接続し、前記ユニット間配管の他端を前記配管口より室内へ引き込み、横方向へ曲げて、前記室内ユニット本体の背面で前記室内ユニットから延びる冷媒配管と接続して、前記上部取付部材へ前記下部取付部材を取り付け、既に取り付けてあるこの室内ユニット本体の上部と同様に下部も前記下部取付部材に取り付ける様にして設置するのが一般的であった。
【０００４】
また、前記室内ユニットの室内熱交換器へ温水を生成できる室外ユニットから温水を循環させて、暖房運転を行わせる温水暖房式の空気調和装置の場合では、上記ユニット間配管に加え、往き管と、戻り管との温水配管も前記室内ユニットへ接続しなければならないため、上記梁などの出っ張りが無い状況でも、この取付部材を用いることがあった。
【０００５】
【発明が解決しようとする課題】
しかしながら、従来の方法では、前記接続した冷媒配管が、下方へたわみ、前記下部取付部材を、前記上部取付部材へ取り付ける際、前記冷媒配管がこの下部取付部材に当たってしまったり、前記接続した冷媒配管が、前記取付部材の前記高さ方向に重なってしまったりして、前記室内ユニット本体の前記下部取付部材への取り付けがやり難い面があった。
【０００６】
また、前記接続された冷媒配管が、前記取付部材内で乱雑に配管されるため、メンテナンス作業を行なう場合にも手間のかかるものとなってしまっていた。
【０００７】
特に、上記温水暖房式の空気調和装置では、冷媒配管と、温水配管とを有するためなおさらである。このため、この接続した冷媒配管の処理についての改善が望まれていた。
【０００８】
そこで、本発明の目的は、配管接続作業が容易にでき、かつ、接続した前記配管を整然と収納して、容易なメンテナンス作業をも可能とした空気調和装置の据付装置を提供することにある。
【０００９】
【課題を解決するための手段】
請求項１に記載の発明は、壁面に固定される取付部材を用いて前記室内ユニット本体を前記壁面に固定する空気調和装置の据付装置において、前記取付部材へ、室外ユニットから延び、前記室内ユニット本体へ接続される配管の支持部を設けたことを特徴とするものである。
【００１０】
請求項２に記載の発明は、請求項１に記載のものにおいて、前記支持部を、上方へ向けたＬの字状の突起とし、この突起へ前記配管を掛合させて支持させたことを特徴とするものである。
【００１１】
請求項３に記載の発明は、請求項１または２に記載のものにおいて、前記支持部を設ける位置を、前記取付部材内の隅部に近い位置としたことを特徴とするものである。
【００１２】
請求項４に記載の発明は、請求項１乃至３のいずれかに記載のものいおいて、前記支持部を、前記取付部材の内側へ並列に複数設けたことを特徴とするものである。
【００１３】
請求項５に記載の発明は、請求項１乃至４のいずれかに記載のものにおいて、前記取付部材を上部取付部材と下部取付部材とに分離し、上部取付部材に前記空気調和装置本体を支持した後、前記上部取付部材に前記下部取付部材を連結可能にしたことを特徴とするものである。
【００１４】
請求項６に記載の発明は、請求項１乃至４のいずれかに記載のものにおいて、前記取付部材を上部取付部材と下部取付部材とに分離し、上部取付部材に前記空気調和装置本体を支持した後、前記上部取付部材に前記下部取付部材を板ばね手段により連結可能にしたことを特徴とするものである。
【００１５】
【発明の実施の形態】
以下に、添付図面を参照して本発明の一実施形態を詳細に説明する。本発明の実施にかかる空気調和装置の据付装置は、上部取付部材と、下部取付部材とから構成される分離型の空気調和装置の据付装置である。
【００１６】
図１は、室内ユニット本体１が空気調和装置の据付装置３に取り付けられている状態の全体斜視図を示している。そして、この空気調和装置の据付装置３は、上部取付部材５と、下部取付部材７とから構成されている。
【００１７】
図２を参照して、この室内ユニット本体１は、空気調和装置の据付装置３を介して壁面６０に固定される。室内ユニット本体１の内部には、室内熱交換器４３ａ、および、４３ｂと、クロスフローファン５６を含む送風装置４４と、空気清浄フィルタ４５とが設けられる。このうち送風装置４４は、モータ（図示せず）により回転される長い円筒状ののクロスフローファン５６とこのクロスフローファン５６により吹き出される風を案内する風導板５７とから構成される。この風導板５７は、フレーム４２の一部を構成する背板５８に一体に形成されており、クロスフローファン５６を収納する部分５７ａは凹状に形成され、また、送風装置４４の流入口にあたる絞り口５７ｂが凸状に形成されている。
【００１８】
この空気清浄フィルタ４５は、風の通路上において、室内熱交換器４３ａの前面に配置されており、本室内ユニット本体１の運転時には、室内空気の清浄を行なっている。また、冷房運転時など、この室内熱交換器４３ａ、および、４３ｂに結露した結露水を受けるドレンパン４６ａ、および、４６ｂが、それぞれ上記室内熱交換器４３ａ、および、４３ｂの下方に配置されている。
【００１９】
フレーム４２には前面パネル４７が取り付けられ、前面パネル４７の正面、および、天面には、吸込み口４８が形成され、この吸込み口４８の内側にはフィルタ４９が配置されている。前面パネル４７の下側には、吹出し口５０が形成されており、この吹出し口５０には空気の吹出し方向を案内する上下方向案内羽根４０と、左右方向案内羽根４１とが設けられている。
【００２０】
また、背板５８には、後述する上部取付部材５の室内ユニット本体支持部９へ室内ユニット本体１を取り付けた後、前記室内ユニット本体１の背面下方へ配管の接続作業を行なう空間を広く保持しておくためのスタンド５１が設けられている。
【００２１】
図３を参照して、図３のうち、図３（ａ）は、空気調和装置の据付装置３の正面図を示し、図３（ｂ）は、空気調和装置の据付装置３の側面図を示す。上部取付部材５の両先端縁には、下縁部１０が設けられ、下部取付部材７の両先端部には、上記の下縁部１０に嵌り合う上縁部１１が設けられる。この下縁部１０と、上縁部１１とは、後述する様に図３（ｃ）〜（ｅ）に示す板バネ２０によって連結される。また、上部取付部材５には、室内ユニット本体支持部９が設けられる。
【００２２】
さらに、この上部取付部材５には、この上部取付部材５の補強のための部材１３〜１６が溶接されており、このうち部材１３には、第１配管支持部１８ａ、１８ｂが、部材１４には、第２配管支持部１９がそれぞれ設けられ、部材１６には、前記スタンド５１の受け部となるスタンド置台２１が設けられている。
【００２３】
この第１配管支持部１８ａ、１８ｂは、前記空気調和装置の据付装置３内の隅部に近い位置に位置し、図３（ｆ）〜（ｇ）に示す様に、上方へ向けて開放されたＬの字状の突起となっており、上方から配管を掛止させることにより簡易的にこの配管を固定できるものとなっているとともに、前記配管が、前記上部取付部材５から浮き上がってしまうのを防止している。
【００２４】
例えば、本実施の形態では、この空気調和装置の据付装置３が固定される壁面６０の位置Ａに図示しない室外ユニットに、その一端を接続されたユニット間配管２２を前記室内ユニット本体１を据付ける室内へと引き込む配管口１８が設けられるものとして説明するが、この配管口６１より引き込まれたユニット間配管２２を横方向へ曲げ、前記第１配管支持部１８ａ、１８ｂへ上方から乗せることにより、前記ユニット間配管は、この第１配管支持部１８ａ、１８ｂに掛止され、簡易的に固定されるとともに、前記空気調和装置の据付装置３からの浮き上がりも抑えられる。
【００２５】
また、図３（ｃ）に示す様に、下縁部１０には、この下縁部１０とほぼ平行に段状に延びるピース１２が溶接され、該ピース１２と下縁部１０とに囲まれる凹部には、板バネ２０が設けられる。また、図３（ｄ）に示す様に、上縁部１１は断面がオウム状に延びており、このオウム状に延びる上縁部１１には、ほぼＮの字状に曲げられた突片１７が接合されている。図３（ｅ）は、下縁部１０と、上縁部１１とが嵌合したときの拡大図であり、この実施の形態によれば、下部取付部材７の上縁部１１の突片１７が図４に示す様に、上部取付部材５の下縁部１０の板バネ２０に係合することにより両者が連結される。
【００２６】
次に、動作を説明する。空気調和装置の据付装置３において、まず、上部取付部材５が前記室内の壁面６０に設置される。そして、上記説明の様に、一端を室外ユニットに接続されたユニット間配管２２を配管口６１を挿通させて、前記室内ユニット本体１を据付ける室内へと引き込み、横方向へ曲げ、前記第１配管支持部１８ａ、１８ｂへ上方から乗せる。
【００２７】
設置された上部取付部材５の上部に設けられた室内ユニット本体支持部９を室内ユニット本体１の上部に設けられた支持穴２３に嵌入し、上記質内ユニット本体１の背面に設けられたスタンド５１を上起させて、前記上部取付部材５のスタンド置台２１へ掛止することにより、図５に示す様に、前記室内ユニット本体１と、上部取付部材５との間に、広い配管接続を行なう開放空間が設けられた状態で保持され、かつ、前記ユニット間配管２２は、第１配管支持部１８ａ、１８ｂで簡易的に固定された状態となる。
【００２８】
そして、前記ユニット間配管２２と、前記室内ユニット本体１の背面から延びる冷媒配管２４との配管作業を行なうことにより、図６に示す様に、作業を行ない易い状況での配管接続作業を完了することができる。
【００２９】
そして、この配管接続作業が完了したら、前記スタンド５１を室内ユニット本体１の背面へと下倒させて、下部取付部材７を前記上部取付部材５へ下方より押し上げて取り付け、前記冷媒配管２４を第２配管支持部１９へ掛止し、室内ユニット本体１を前記下部取付部材７へと取り付けることにより、図７の断面図に示す様に、配管接続後も前記ユニット間配管２２が上部取付部材５内へ整然と収納されるため、のちのメンテナンス等での点検の際にも、点検し易い状態となる。
【００３０】
この配管支持部１８ａ、１８ｂは、上述の様に、前記配管口６１に近い空気調和装置の据付装置３の隅部付近に設けられており、上記配管口６１を挿通して前記室内へ引き込まれた前記ユニット間配管２２は、この配管支持部１８ａ、１８ｂで抑えられているため、必然的に前記配管口６１での横方向への曲がり時で前記上部取付部材５から浮き上がってしまい、上記下部取付部材７への室内ユニット本体１の取り付け時に手間取ることもない。
【００３１】
また、接続配管、および、この空気調和装置の据付装置３内への収納配管の本数が多くなる温水暖房式の空気調和装置でも、図８の断面図に示す様に、冷媒配管２２を背板５８の背面側へ納め、温水を生成できる室外ユニットから温水を循環させる温水配管２５を空気調和装置の据付装置３の前記第１配管支持部１８ａ、１８ｂ、および、第２配管支持部１９へと掛止させることにより、上記説明と同様に、ユニット間配管２２、および、温水配管２５を整然と収納することができ、メンテナンス時においても容易に点検作業を行なうことができる。
【００３２】
以上、一実施の形態に基づいて本発明を説明したが、本発明は、これに限定されるもので無いことは明らかである。たとえば、上部取付部材５と、下部取付部材７との連結のための手段は、板バネ２０などに限定されるものではなく、コイルスプリングなどで有っても良い。また、一方が凹部で、他方が凸部の様な嵌合形式であっても良い。
【００３３】
【発明の効果】
以上述べた様に、空気調和装置の据付装置へ、この空気調和装置の据付装置に取り付ける室内ユニットに接続する冷媒や温水などの配管を簡易的に固定する掛止部を備えることにより、前記配管の接続作業が容易に行なえる様になるとともに、前記配管の接続作業完了後、前記空気調和装置の据付装置内に前記配管を整然と収納することが可能となるため、その後のメンテナンス作業をも容易に行なうことが可能となる。
【図面の簡単な説明】
【図１】本発明の空気調和装置の据付装置に室内ユニット本体を取り付けた全体斜視図である。
【図２】本発明に係る空気調和装置の据付装置に室内ユニットを取り付けた場合の一実施の形態を示す断面図である。
【図３】（ａ）は本発明に係る空気調和装置の据付装置の一実施の形態を示す正面図であり、（ｂ）は本発明に係る空気調和装置の据付装置の一実施の形態を示す側面図であり、（ｃ）は下縁部１０下縁部に位置する板バネ２０の接合部付近の拡大図であり、（ｄ）は上縁部１１の上縁部の図であり、（ｅ）は（ｃ）と（ｄ）の部分を嵌合した状態を示す図であり、（ｆ）と（ｇ）とは本発明に係る第１配管支持部１８ａ、１８ｂと第２配管支持部１９を側面より示した図である。
【図４】本発明に係る空気調和装置の据付装置を示す一部斜視図である。
【図５】本発明に係る空気調和装置の据付装置を壁面に固定し、この空気調和装置の据付装置の第１配管支持部へ、ユニット間配管を掛止固定した図である。
【図６】本発明に係る空気調和装置の据付装置を壁面に固定し、この空気調和装置の据付装置の第１配管支持部および第２配管支持部へ、ユニット間配管を掛止固定した図である。
【図７】本発明に係る空気調和装置の据付装置を使用して冷媒循環式の空気調和装置を据付けることにより冷媒配管が整然と配置されていることを示めす断面図である。
【図８】本発明に係る空気調和装置の据付装置を使用して温水暖房式の空気調和装置を据付けることにより冷媒配管および温水配管が整然と配置されていることを示す断面図である。
【符号の説明】
１　室内ユニット本体
３　空気調和装置の据付装置
５　上部取付部材
７　下部取付部材
９　室内ユニット本体支持部
１０　下縁部
１１　上縁部
１２　ピース
１３　部材
１４　部材
１５　部材
１６　部材
１７　突片
１８ａ、１８ｂ　第１配管支持部
１９　第２配管支持部
２０　板バネ
２１　スタンド置台
２２　ユニット間配管
２３　支持穴
２４　冷媒配管
２５　温水配管
６０　壁面
６１　配管口
【図１】
2004061057.tif 000003
【図２】
2004061057.tif 000004
【図３】
2004061057.tif 000005
【図４】
2004061057.tif 000006
【図５】
2004061057.tif 000007
【図６】
2004061057.tif 000008
【図７】
2004061057.tif 000009
【図８】
2004061057.tif 000010